(57)【要約】【課題】ステッピングモータを駆動制御する絞りシャッター装置でシャッター閉じ動作時の羽根バウンドを抑えてシャッタースピードの高速化と羽根の衝撃緩和や再露光を防止する。【解決手段】ステッピングモータ６を駆動制御する絞りシャッター装置で、シャッターの閉じ動作で地板１に当接するそれぞれの羽根３，４にストッパー部３ａ、４ａを設け、これらの羽根のストッパー部３ａ，４ａは往復運動方向に対して角度を設けて当接させる。【選択図】図３
2007219198.tif 000002
【特許請求の範囲】
【請求項１】
光を透過させる開口部の形成された地板と、
前記地板に対し平行往復運動可能に支持案内された複数の遮光部材と、
前記複数の遮光部材と係合し、駆動モータへの通電で回動することにより該複数の遮光部材を駆動させる遮光部材駆動手段と、
を有し、
前記駆動モータへの通電により前記遮光部材の少なくとも２つを互いに相反する方向に平行往復運動させて光量を調節する光量調節装置において、
前記平行往復運動する遮光部材は、前記開口部を全閉した後に、該平行往復運動の方向に対して角度を持って前記地板に対し当接するストッパー部を有することを特徴とする光量調節装置。
【請求項２】
前記平行往復運動する遮光部材のストッパー部は、往復運動方向に対して２５度から６５度の角度で地板に当接することを特徴とする請求項１記載の光量調節装置。
【請求項３】
前記互いに相反する方向に平行往復運動する少なくとも２つの遮光部材は、一方の遮光部材のストッパー部が前記地板に当接した後、他方の遮光部材のストッパー部が、該一方の遮光部材が該地板に当接するタイミングより遅れて地板に当接することを特徴とする請求項１または２に記載の光量調節装置。
【請求項４】
前記駆動モータは、複数のパルスによって駆動されるステッピングモータであって、該ステッピングモータを２相駆動し、前記地板開口の全開状態から全閉状態までを所定のパルスで制御し、前記ステッピングモータは所定のパルスで前記遮光部材を全閉位置に移動させた後に、さらに２相駆動で１パルス余分に励磁され、その励磁相で所定時間通電保持され、その後所定のパルスにおける励磁状態に戻す動作を行うことを特徴とする請求項１から３のいずれかに記載の光量調節装置。
【発明の詳細な説明】
【技術分野】
【０００１】
本発明は、デジタルスチルカメラ、ビデオカメラ等の光学機器に用いられるステップモータを有する光量調節装置に関する。
【背景技術】
【０００２】
従来、デジタルスチルカメラ、ビデオカメラ等に用いられる光学機器等の光量調節装置には、いわゆるガルバノメータを駆動源とするタイプのものが多く使用されてきた。
【０００３】
この絞り機構では、ガルバノメータの永久磁石であるロータについてホール素子を用いて位置検出し、その検出結果をフィードバック制御することにより、ロータを目的の位置に作動させて、絞り制御が行われる。
【０００４】
さらに、デジタルスチルカメラ等でシャッター機構を必要とするものは上記の絞り制御位置からガルバノメータの永久磁石とコイルで発生する励磁磁界を加えて反発、吸引動作でロータを回転させて絞り制御羽根を開閉させてシャッター動作を行っている。
【０００５】
しかし、このように絞り機構にガルバノメータを駆動源として用いる場合には、シャッター動作を行ってもスピードが遅くて高速秒時化には不向きであった。
【０００６】
そこで、駆動源としてガルバノメータの代わりにステッピングモータを用いた絞り機構が考えられる。
【０００７】
ステッピングモータを用いた絞り機構は、例えば、ステッピングモータの回転軸に、直線状の駆動レバーが圧入されており、駆動レバーには、駆動ピンが設けられている。この駆動ピンは、それぞれ２枚の絞り羽根に長孔を介して係合されている。このような絞り機構では、ステッピングモータに所定のパルスを与えて回転させることにより、２枚の絞り羽根をそれぞれ互いに反対の方向へ直進運動をさせる。２枚の絞り羽根がそれぞれの位置関係によって開口の大きさを変化させることにより、光量調節が行われる。
【０００８】
シャッター動作時は、２枚の絞り羽根が閉じる方向にステッピングモータに順次パルスを与え、モータを回転させて高速で絞り羽根を全閉させる。
【０００９】
しかし、ステッピングモータを用いた絞りシャッター機構では、シャッターの全閉動作時、絞りシャッター羽根のバウンドなどにより所定位置からずれて止まる場合がある。この状態でCCD等の撮像素子からの電荷の転送が行われると光線漏れにより転送信号にノイスが乗ったり、次の絞り動作時、所定のパルスに対する口径がずれて、正常な絞り制御ができなくなったりする。
【００１０】
そこで、これらを回避するために例えば特許文献１では、絞りの初期位置をフォトカプラーで検出し、ホームポジションを保証している。また特許文献２では、モータにパルス信号を与えて、所定位置からずれて止まった絞りシャッター羽根を所定位置に戻す、初期化動作を行わせる方法が開示されている。
【特許文献１】特開平6−59309号公報特開2004−109531号公報
【発明の開示】
【発明が解決しようとする課題】
【００１１】
しかし、前述の方法はいずれも絞りシャッター羽根のバウンド等により、所定の位置以外で止まった時、それを検出したり所定の位置へ初期化動作させたりするものであり、再露光や絞りシャッター羽根全閉直後の電荷転送時の光線漏れに対しての対策とはなっていない。
【００１２】
本発明は、かかる問題点に鑑みてなされたもので、シャッターの高速スピード化と安定した羽根の停止、特に絞りシャッター羽根のバウンド（再露光）を、特別な部材を付加することなく簡単な構成と制御で実現する光量調節装置を提供することを目的とすることにある。
【課題を解決するための手段】
【００１３】
本発明の目的を実現する第１の構成は、請求項１に記載したように、光を透過させる開口部の形成された地板と、前記地板に対し平行往復運動可能に支持案内された複数の遮光部材と、前記複数の遮光部材と係合し、駆動モータへの通電で回動することにより該複数の遮光部材を駆動させる遮光部材駆動手段と、を有し、前記駆動モータへの通電により前記遮光部材の少なくとも２つを互いに相反する方向に平行往復運動させて光量を調節する光量調節装置において、前記平行往復運動する遮光部材は、前記開口部を全閉した後に、該平行往復運動の方向に対して角度を持って前記地板に対し当接するストッパー部を有することを特徴とする。
【００１４】
本発明の目的を実現する第２の構成は、請求項２に記載のように、上記した第１の構成において、前記平行往復運動する遮光部材のストッパー部は、往復運動方向に対して２５度から６５度の角度で地板に当接することを特徴とする。
【００１５】
本発明の目的を実現する第３の構成は、請求項３に記載のように、上記いずれかの構成において、前記互いに相反する方向に平行往復運動する少なくとも２つの遮光部材は、一方の遮光部材のストッパー部が前記地板に当接した後、他方の遮光部材のストッパー部が、該一方の遮光部材が該地板に当接するタイミングより遅れて地板に当接することを特徴とする。
【００１６】
本発明の目的を実現する第４の構成は、請求項４に記載のように、上記いずれかの発明において、前記駆動モータは、複数のパルスによって駆動されるステッピングモータであって、該ステッピングモータを２相駆動し、前記地板開口の全開状態から全閉状態までを所定のパルスで制御し、前記ステッピングモータは所定のパルスで前記遮光部材を全閉位置に移動させた後に、さらに２相駆動で１パルス余分に励磁され、その励磁相で所定時間通電保持され、その後所定のパルスにおける励磁状態に戻す動作を行うことを特徴とする。
【発明の効果】
【００１７】
以上説明したように、本発明の光量調節装置によれば、遮光部材である絞りシャッター羽根のバウンドによる再露光を止めるために、例えば各絞りシャッター羽根に羽根ストッパー部を形成している。羽根ストッパー部は、絞りシャッター羽根の動作方向に対して２５度から６５度未満の角度で地板のストッパー部に当接する傾斜面の羽根形状にして当接するエネルギーを分散している。このエネルギーの分散により、平行往復運動が行われる絞りシャッター羽根に加わるバウンド力は旋回方向に向き、この旋回方向のバウンド力が例えば絞りシャッター羽根の平行往復運動をガイドする複数のガイドピンに対して異なる向きに作用することとなり、バウンド力が打ち消され、シャッター動作後の絞りシャッター羽根のバウンドを抑えてシャッタースピードの高速化と安定停止を実現し、羽根の耐久性も向上する。
【００１８】
また、遮光部材である例えば２枚の絞りシャッター羽根は、駆動レバーなどの遮光部材駆動手段の回動により互いに相反する方向に平行往復運動するため、一方の絞りシャッター羽根のストッパー部が地板に当接した後、他方の絞りシャッター羽根のストッパー部が、該一方の絞りシャッター羽根が当接するタイミングより遅れて地板に当接させることにより、一方の絞りシャッタオ羽根のバウンド力が他方の絞りシャッター羽根がストッパーに当接する直前のブレーキ力として作用し、より効果的にバウンドをとめる事ができる。
【００１９】
さらに、モータの制御ではシャッター羽根が閉じ側のメカ端位置に当接する時にはモータのトルクが大きい２相励磁位置でストッパーに押し当て当接する。そして開放状態から閉じ状態までの駆動を２相駆動の３パルスで制御した後に、さらにプラス１パルスの通電相７２°（＋Ａ相，−Ｂ相）位置の励磁相に１５ｍｓ以上通電状態で保持してモータの減衰バウンドをメカ端位置に確実に押えつけてモータのバウンドを止める手段を併用することで、シャッター閉じ動作後の絞りシャッター羽根のバウンドを抑えてシャッタースピードの高速化と絞りシャッター羽根の安定した停止で、絞りシャッター羽根の衝撃緩和や再露光を止めることが可能になった。
【００２０】
さらに羽根の挙動を抑えられるので耐久性も向上させることができる。
【発明を実施するための最良の形態】
【００２１】
以下、本発明を図面に示す実施の形態に基づいて説明する。
第１の実施の形態
図１は本発明の第１の実施の形態に係る光量調節装置の構成を示す分解斜視図である。図２は光量調節装置の平面図で、図２（ａ）は地板の開口が絞りシャッター羽根によって全開した状態を表しており、図２（ｂ）は開口が全閉した状態を表している。
【００２２】
この光量調節装置は、遮光部材駆動源であるステッピングモータ６と、このステッピングモータ６で回動される羽根駆動手段である羽根駆動レバー２と、この羽根駆動レバー２の両端にそれぞれ突設された駆動ピン２ａ，２ｂと、駆動ピン２ａ，２ｂがそれぞれ係合される遮光部材である一対の絞り羽根３，４と、一対の絞り羽根３，４の光軸方向の動きを規制して、収納する羽根カバー５と地板１とを備えている。絞りシャッター羽根３、４には、絞り部３ａ、４ａが形成され、同じ側に移動方向に沿って２つの長孔３ｃ、３ｄ、４ｃ、４ｄが連なって形成されている。また、一方の絞りシャッター羽根３には、駆動ピン２ａとの連結側にストッパー部３ａが形成され、他方の絞り羽根４には長孔４ｃの先にストッパー部４ａが形成されている。
なお、地板１には、一対の絞りシャッター羽根３、４の移動方向に連なり、重なり合った各２つの長孔３ｃ、４ｃ、と３ｄ、４ｄに係合して一対の絞りシャッター羽根３，４の平行運動をガイドするためのガイドピン１ａ，１ｂが突設されている。
【００２３】
この光量調節装置では、羽根駆動レバー２の回転により一対の絞りシャッター羽根３，４が、互いに相反する方向へ平行往復運動することにより、絞りシャッター羽根３，４の絞り部３ｂ、４ｂにより開口１０が形成される。そして、絞りシャッター羽根３，４それぞれの位置関係によって、開口１０の大きさが変化することにより光量調節が行われるが、羽根は二枚に限らず３枚以上の複数の羽根によって開口を形成するようにしても良い。また、それらの中にＮＤフィルターを含む構成とすることもできる。
【００２４】
ステッピングモータ６は、円筒外周面にＳ極とＮ極を交互に例えば１０極着磁されたロータ（不図示）と、該ロータに設けられた回動軸６ａと、ロータマグネット（不図示）外周に９０度の電気的位相差をもつ励磁コイル（不図示）からなる２つの電磁石とを有している。このステッピングモータ６は、ステッピングモータ駆動回路（不図示）により２つの前記励磁コイルに９０度の位相差を有する２つの電磁石に電流を通電することにより正逆回転する２相ステッピングモータである。なお、このステッピングモータ６は地板１に固定ネジ７によって締結され、羽根カバー５を固定ネジ８によって地板１の上面に固定することにより絞りシャッター羽根３、４の抜けを防止している。
【００２５】
本実施の形態の光量調節装置により光量調節を行うには、ステッピングモータ６の正逆回転により羽根駆動レバー２を正逆回転させる。一対の絞りシャッター羽根３，４は、羽根駆動レバー２に突設された駆動ピン２ａ，２ｂと、絞りシャッター羽根３，４を相反する方向に平行往復運動させる方向に係合されているので、絞りシャッター羽根３，４はそれぞれ逆方向へスライド水平運動し、絞りシャッター羽根３，４の絞り部３ｂ、４ｂにより開口１０が絞り形成される。そして、絞り部３ｂ、４ｂのそれぞれの位置関係によって、開口１０の面積が変化することにより、開口１０を通過する光量が変化して、光量調節が行われる。
【００２６】
さらに、一対の絞りシャッター羽根３，４を相反する方向に平行往復運動させて開口１０の面積を変化させて開口１０を通過する光量を調整した後に、絞りを閉じ方向に作動させるステッピングモータ６へ励磁駆動を行うことでシャッターの閉じ作動を行っている。
【００２７】
このとき、羽根３，４の各羽根ストッパー部３ａ，４ａが、地板１のストッパー部１ｃ、１ｄに当接する。
【００２８】
一方、本実施の形態において、羽根駆動レバー２は、開口１０の全開状態から全閉状態までを２相駆動において３パルスに相当する５４度回転で駆動制御を行う。また、ステッピングモータ６について、例えば、マイクロステップ駆動を行うことにより、任意の位置に停止させることも可能であり、開口１０の面積を連続的に変化させることも可能にしている。
【００２９】
図１に示す実施の形態では、一対の絞りシャッター羽根３，４の閉じ状態において羽根ストッパー部３ａ，４ａが地板１に設けたストッパー部１ｃ，１ｄに当接するようにしているが、さらに開き状態でも同様の羽根ストッパー部を絞りシャッター羽根に設けると共に、地板１にストッパー部を設けるようにしてもよい。
【００３０】
また、図２ではこの羽根ストッパー部３ａ，４ａとストッパー部１ｃ，１ｄを設ける位置を示しており、その具体的な形状を図３に示す。
【００３１】
図３において、一方の絞りシャッター羽根３に設けた羽根ストッパー部３ａは、駆動ピン２ａとの係合が行なわれる係合孔が形成されている右側辺部の内側に設けられ、絞りシャッター羽根３の直進移動方向に対して角度θの傾斜面に形成されている。また、地板１の一方の短辺側には、羽根ストッパー部３ａと当接する傾斜角θのストッパー部１ｃが形成されている。
【００３２】
また、他方の絞りシャッター羽根４の左側辺部の先端に形成された羽ストッパー部４ａは、絞りシャッター羽根４の直進移動方向に対して角度θの傾斜面に形成され、地板１の他方の側辺側には羽根ストッパー部４ａと当接する傾斜角θのストッパー部１ｄが形成されている。
【００３３】
図３において、羽根駆動レバー２に突設された駆動ピン２ａ，２ｂと一対の絞りシャッター羽根３，４とは、羽根駆動レバー２の回転により絞りシャッター羽根３，４を相反する方向に平行往復運動するように係合されているので、ステッピングモータ６の正逆回転により羽根駆動レバー２を正逆回転させると、絞りシャッター羽根３，４はそれぞれ逆方向へスライド水平運動する。このスライド水平運動により、一対の絞りシャッター羽根３，４の絞り部３ｂ、４ｂにより開口１０が絞り形成される。
【００３４】
そして、絞り部３ｂ、４ｂのそれぞれの位置関係によって開口１０の面積が変化することにより、開口１０を通過する光量が変化して、光量調節が行われる。その後、一対の羽根を閉じ方向に作動させるステッピングモータ６の励磁駆動でシャッターの閉じ作動を行っている。
【００３５】
この時、羽根３，４に設定された羽根ストッパー部３ａ，４ａは地板１のストッパー部１ｃ、１ｄに当接する。
【００３６】
一対の絞りシャッター羽根３，４にそれぞれ形成したストッパー部３ａ，４ａの傾斜角θは２５度から６５度未満、望ましくは略４５度の角度で地板１のストッパー部に当接する様に配置されている。
【００３７】
なお、傾斜角θの望ましい角度を４５度としている理由は、絞りシャッー羽根が地板に当接した時の力を、絞りシャッター羽根の走行方向と走行方向に直角方向にできるだけ均等に分散させるためである。これより小さいとバウンドを減らす効果が少なくなり、大きいと絞りシャッター羽根の駆動ピン２ａ、２ｂと係合する長穴にかかる負荷が大きくなって耐久性に問題が出てくる恐れがある。２５度から６５度は部品の加工精度や絞りシャッター羽根の駆動ピンと係合する長穴と駆動ピンの遊びに起因するガタにより容認されるべき範囲であり、この範囲であれば効果も耐久性も問題がない。
【００３８】
これにより、絞りシャッター羽根が地板に当接したことによる反発力（バウンド力）は羽根の移動方向と、羽根の移動方向に対して略直角方向に分散される。その結果、地板１に設けられたガイドピン１ａ，１ｂに絞りシャッター羽根の長穴３ｃ、３ｄ、４ｃ、４ｄがガイドされる方向にバウンドする力が低減され、絞りシャッター羽根がバウンド（再露光）することを防止できる。
【００３９】
このことは、本実施の形態のように絞りシャッター羽根が二本のガイドピン１ａ、１ｂによってガイドされて、直線的に開閉動作する場合に特に有効である。
【００４０】
すなわち、傾斜角θで絞りシャッター羽根３、４は地板１のストッパー部１ｃ、１ｄに当接するため、絞りシャッター羽根３、４には、羽根の移動方向におけるバウンド分力と、該羽根の移動方向と直交する方向のバウンド分力とが作用し、そのバウンド合力が傾斜面に直交する方向に作用する。絞りシャッター羽根３、４は移動方向に連なる２つの長孔３ｃ、３ｄ、４ｃ、４ｄが２本のガイドピン１ａ、１ｂにガイドされているため、このバウンド合力は絞りシャッター羽根３、４に対して旋回力として作用することになる。
【００４１】
絞りシャッター羽根３、４に対してバウンド合力としての旋回力が作用すると、例えば絞りシャッター羽根４において、ガイドピン１ａを始点として旋回した場合、長孔４ｃはガイドピン１ａに対して左側の内周面が当接し、長孔４ｄはガイドピン１ｂに対して右側の内周面が当接する。バウンド合力により絞りシャッター羽根３、４がそれぞれガイドピン１ａ、１ｂに対して作用する２点の力の向きが異なるため、これら２点に作用する力が打ち消され、よりバウンドを小さく抑えることができる。
【００４２】
なお、一本のガイドピンを中心に旋回運動するタイプの絞りシャッター羽根の場合は、シャッター羽根をストッパーに当接させることでバウンドの抑制を図った構成にあっては、バウンド力は絞りシャッター羽根の駆動と同じにそのまま羽根の旋回力となり、バウンド力を打ち消すことができないのに対し、本実施の形態のように２本のガイドピンにガイドされて絞りシャッター羽根が互いに相反する方向に直進往復運動を行うタイプにあってはバウンド力は旋回力として絞りシャッター羽根に作用して打ち消される。
【００４３】
第２の実施の形態
図４は本発明の第２の実施の形態を示す。
【００４４】
図４に示す実施の形態では、それぞれ一対の絞りシャッター羽根３，４に形成したストッパー部３ａ，４ａは，前記一対の羽根３，４の動作方向に対して少なくとも一枚は２５度から６５度未満の角度で地板１のストッパー部１ｃ、１ｄに当接する様に配置されており、本実施の形態では羽根３がそのように設定されている。ここで、絞りシャッター羽根４のストッパー部４ａと地板１のストッパー部１ｄの当接面は、絞りシャッター羽根４の移動方向と直交方向に沿った構造としているが、図３に示す実施の形態と同様に傾斜角θを有する傾斜面としてもよい。
【００４５】
本実施の形態では、絞りシャッター羽根３のストッパー部３ａが地板１のストッパー部１ｃに当接した後、１ｍｓ以内の遅れでもう一枚の絞りシャッター羽根４のストッパー部４ａが地板１のストッパー部１ｄに、タイミングをずらして当接するようにしている。
【００４６】
本実施の形態では、絞りシャッター羽根３の羽根ストッパー部３ａが最初に地板１のストッパー部１ａに当接し、１ｍｓ以内の遅れを有して絞りシャッター羽根４の羽根ストッパー部４ａが地板１のストッパー部１ｄに当接するというストッパー部に対して当接タイミングにずれを生じさせる位相ずれを持たせている。
【００４７】
このため、絞りシャッター羽根３の羽根ストッパー部３ａが地板１のストッパー部１ｃに当接して上述のように旋回力に変換されたバウンド合力が絞りシャッター羽根３に作用した時点で絞りシャッター羽根４の羽根ストッパー部４ａはまだ地板１のストッパー部１ｄに当接しておらず、このとき駆動レバー２には絞りシャッター羽根３のバウンド合力により駆動方向と逆方向の回転力が加わる。
【００４８】
すなわち、絞りシャッター羽根４には駆動レバー２を介して絞りシャッター羽根３より移動方向とは逆方向の力が加わるため、この位相ずれの間で絞りシャッター羽根３のバウンド合力と、絞りシャッター羽根４が地板１のストッパー部１ｄに当接する直前の移動力とがお互いに打ち消すように働き、絞りシャッター羽根３、４のバウンドを無くすことができる。その結果、高速シャッター動作時の羽根バウンドを抑えてシャッタースピードの高速化と羽根の安定停止を実現している。
【００４９】
第３の実施の形態
図５は本発明の第３の実施の形態を示す。
【００５０】
図５は、ステッピングモータ６の２つの相であるＡ相、Ｂ相の通電状態と羽根駆動レバー２の回転角度と羽根作動の関係を表している。
図２（ａ）に示すような開口１０の全開状態から図２（ｂ）に示すような開口１０の全閉状態まで連続的に開口１０の面積を変化させて絞りを変化させるには、開口１０が全開状態となる通電状態０°（＋Ａ相，-Ｂ相）から、通電状態９°（＋Ａ相），通電状態１８°（＋Ａ相，＋Ｂ相），通電状態２７°（＋Ｂ相），通電状態３６°（−Ａ相，＋Ｂ相），通電状態４５°（−Ａ相），そして開口１０が全閉メカ端状態になる通電状態５４°（-Ａ相，-Ｂ相）へと、ステッピングモータ６のＡ相、Ｂ相の励磁通電を行う。
【００５１】
例えば、上記の実施の形態では、絞りの制御は１―２相駆動により連続的に変化させる。
【００５２】
このように制御される光量調節装置では、ステッピングモータ６の回転制御範囲内でいかなる位置に停止していても、上述した通電動作を行うことにより、開口の全開状態から全閉状態までをステッピングモータ６の電気角を３６０度以内で駆動するように設定してある。
【００５３】
これはステッピングモータの１−２相駆動時における通電パターンで同じ励磁相を繰り返さない通電制御を行うことで、ステッピングモータ６または羽根駆動レバー２の位置検出手段を省略することが可能になる。
【００５４】
また、この位置検出手段を駆動する回路も不要となる。このため、光量調節装置の小型化、低コスト化も実現できる。
【００５５】
また、シャッターの閉じ動作時の制御では上記の駆動パルスを２相駆動で作動制御させる。これは、羽根が閉じ側のメカ端位置に当接する時にはモータのトルクが大きい２相励磁位置でストッパー部に押し当てる方が停止時間も短い。
【００５６】
一方、本実施の形態にあっては、開放状態から閉じ状態までの駆動を２相駆動の３パルスの通電相５４°（−Ａ相，−Ｂ相）まで制御した後に、さらにプラス１パルスの通電相７２°（＋Ａ相，−Ｂ相）位置の励磁相に１５ｍｓ以上通電状態に保持する。
【００５７】
すなわち、２相駆動の３パルス通電相５４°において、絞りシャッター羽根は地板１のストッパー部である機械的停止端（メカ端と略す）に当接し、さらに２相駆動の１パルスを通電しても、絞りシャッター羽根はこれ以上直進移動することのない停止位置に停止しているが、駆動レバー２に閉じ方向の大きな力がモータの励磁力により加わるため、絞りシャッター羽根を停止位置に押さえ付けることができ、さらには２相駆動の３パルスの通電相５４°に通電後に通電を停止することにより生じるモータの減衰バウンドで絞りシャッター羽根にバウンドすることも防げ、絞りシャッター羽根をメカ端位置に確実に押えつけ、モータのバウンドが止められ安定した停止が出来る。
【００５８】
この状態でモータへの通電を切っても良いが、所定の閉じ位置に対してプラス１パルス通電している為、絞りシャッター羽根は、羽根ストッパー部と地板のストッパー部（メカ端部）の位置関係によっては所定の停止位置から少しオーバーランした位置で止まっている場合もある。
【００５９】
この場合、次の絞り動作時に誤作動を起こす可能性がある為、プラス１パルス通電した後所定の停止位置に対応したパルスを再度通電し、所定の位置に戻す動作をさせる。
【００６０】
すなわち、所定の停止位置に対応したパルスで励磁後、プラス１パルス分通電保持して羽根のバウンドを抑制し、その後モータが逆転する方向に１パルス分戻して、羽根を正規の停止位置に確実に停止させる。
【００６１】
以上、実施の形態を挙げて本発明を説明したが、本発明は上記実施の形態に限定されるものではなく、種々の制御が可能である。
【００６２】
例えば、上記実施の形態では、ステッピングモータ６の駆動方式を１―２相励磁や２相励磁駆動を用いたが、マイクロステップ駆動等の駆動方式であってもよい。
【００６３】
また、それぞれの実施の形態を単独で実施しても効果があるが、近年手ぶれ防止などの目的でますますシャッター速度の高速化が要求されてきていることから、これらの対策を複合的に実施すると、より確実に目的を達成することができる。
【図面の簡単な説明】
【００６４】
【図１】本発明の第１の実施の形態に係る光量調節装置の構成を表す分解斜視図である。
【図２】図１の光量調節装置の平面図を示し、（ａ）は開口の全開状態、（ｂ）は全閉状態を示す。
【図３】図２に示した光量調節装置の絞りシャッター羽根の羽ストッパー部と地板のストッパー部との構成を表す図である。
【図４】本発明の第２の実施の形態を示す光量調節装置の平面図を表す図である。
【図５】本発明の第３の実施の形態を示し、光量調節装置が備えるステッピングモータの２つの相であるＡ相、Ｂ相の通電状態と羽根駆動レバーの回転角度と羽根作動の関係を表す。
【符号の説明】
【００６５】
１…地板
１ａ，１ｂ…ガイドピン      １ｃ，１ｄ…地板のストッパー部
２…羽根駆動レバー
２ａ，２ｂ…駆動ピン
３，４…絞りシャッター羽根
３ａ，４ａ…羽根ストッパー部      ３ｂ，４ｂ…絞り部
３ｃ、３ｄ、４ｃ、４ｄ…長孔
５…羽根カバー、
６…ステッピングモータ、
７…モータ固定ネジ、８…羽根カバー固定ネジ、１０…開口
【図１】
2007219198.tif 000003
【図２】
2007219198.tif 000004
【図３】
2007219198.tif 000005
【図４】
2007219198.tif 000006
【図５】
2007219198.tif 000007